(57)【要約】【課題】遠隔操作によって複数の電子機器に対して一括して電源制御を行い、待ち受け状態には電源部の一次側を切断して消費電力を発生させないようにする。【解決手段】機器本体１０には、電源供給を制御する電源制御ユニット１１と、電源供給のための制御信号を無線により送信する電源制御ユニット１１とが搭載されている。リモコンユニット１２は、電源供給のオン／オフ要求と識別情報を指示する操作を入力して制御信号を送信する。電源制御ユニット１１は、機器本体１０と周辺機器４６が接続される複数の外部接続用電源供給端子３０と、外部接続用電源供給端子３０に対する電源供給をオン／オフする電源オン／オフ用リレー制御回路２４と、リモコンユニット１２から送信された制御信号が機器本体１０に対するものであった場合に、機器本体１０と周辺機器４６が接続された複数の外部接続用電源供給端子３０に対する電力供給を電源オン／オフ用リレー制御回路２４によりオン／オフさせる待ち受け電源制御回路２２を有する。【選択図】      図３
2010114773.tif 000002
【特許請求の範囲】
【請求項１】
電源供給を制御する電源制御ユニットと、前記電源制御ユニットに対して電源供給のための制御信号を無線により送信する操作用機器とを含む電源制御システムが搭載された電子機器であって、
前記操作用機器は、
電源供給のオン／オフ要求と識別情報を指示する操作を入力する操作入力手段と、
前記操作入力手段により入力された操作に応じたオン／オフ要求と識別情報を示す制御信号を送信する送信手段とを具備し、
前記電源制御ユニットは、
電力を入力する電源入力手段と、
自電子機器と少なくとも１つの他の電子機器の電源部が接続されるものであって、前記電源入力手段により入力された電力を前記自電子機器と前記他の電子機器に供給するための複数の電源供給端子と、
前記複数の電源供給端子に対する前記電源入力手段により入力された電力の供給を、前記識別情報に応じて独立してオン／オフする電源オン／オフリレー制御手段と、
前記操作用機器から送信された制御信号を受信し、前記制御信号に含まれる前記識別情報が自電子機器に対応する場合に、前記自電子機器と前記他の電子機器が接続された前記複数の電源供給端子に対する電力供給を、前記電源オン／オフリレー制御手段により前記オン／オフ要求に応じてオン／オフさせる電源制御手段とを具備したことを特徴とする電子機器。
【請求項２】
前記電源制御手段は、
前記操作用機器から受信した制御信号によりオフ要求された場合に、前記自電子機器と前記他の電子機器に対して、ソフトウェアの動作を停止させるソフトウェアオフを通知した後に、前記電源供給端子に対する電力供給をオフさせ、
前記操作用機器から受信した制御信号によりオン要求された場合に、前記電源供給端子に対する電力供給をオンさせた後に、前記自電子機器と前記他の電子機器に対して、ソフトウェアの動作を開始させるソフトウェアオンを通知することを特徴とする請求項１記載の電子機器。
【請求項３】
前記自電子機器と前記他の電子機器の動作時間を示す情報を取得する情報取得手段をさらに具備し、
前記電源制御手段は、前記情報取得手段により取得された前記自電子機器と前記他の電子機器の個々の情報をもとに、前記複数の電源供給端子に対する電力供給を、前記電源オン／オフリレー制御手段により選択的にオン／オフさせることを特徴とする請求項１記載の電子機器。
【請求項４】
前記電源制御手段は、タイマ機能を有し、
前記タイマ機能によって計時される時間をもとにしたタイミングにより、前記複数の電源供給端子に対する電力供給を前記電源オン／オフリレー制御手段によりオン／オフさせることを特徴とする請求項１記載の電子機器。
【請求項５】
前記複数の電源供給端子のそれぞれに対応する、オン／オフの切換が可能な複数のスイッチをさらに具備し、
前記電源オン／オフリレー制御手段は、前記スイッチのオン／オフの切り替えに応じて、対応する前記電源供給端子に対する電力の供給をオン／オフすることを特徴とする請求項１記載の電子機器。
【請求項６】
前記電源制御ユニットは、
前記電源オン／オフリレー制御手段により電源オフされない外部接続用電源供給端子をさらに具備し、
前記操作用機器は、
前記外部接続用電源供給端子に装着可能な端子と、
前記端子を通じて供給される電力を蓄積する充電手段とをさらに具備したことを特徴とする請求項１記載の電子機器。
【請求項７】
前記電源制御手段は、
前記操作用機器の前記送信手段から送信されたＲＦ（Radio Frequency）信号を受信するアンテナと、
前記アンテナにより受信された信号をダウンコンバートするためのダウンコンバート回路と、
前記ダウンコンバート回路によりダウンコンバートされた信号をもとに前記識別情報を識別する識別手段とを具備したことを特徴とする請求項１記載の電子機器。
【請求項８】
前記電源制御手段は、
前記操作用機器の前記送信手段から送信された赤外線信号を受信する赤外線受光素子と、
前記赤外線受光素子から出力される信号をＡ／Ｄ変換する変換手段と、
前記Ａ／Ｄ変換された信号に対してフィルタリングを行うデジタルフィルタリング手段と、
前記デジタルフィルタリング手段によりフィルタリングされた信号をもとに前記識別情報を識別する識別手段とを具備したことを特徴とする請求項１記載の電子機器。
【請求項９】
電源供給を制御する電源制御ユニットと、前記電源制御ユニットに対して電源供給のための制御信号を無線により送信する操作用機器とを含む電源制御システムであって、
前記操作用機器は、
電源供給のオン／オフ要求と識別情報を指示する操作を入力する操作入力手段と、
前記操作入力手段により入力された操作に応じたオン／オフ要求と識別情報を示す制御信号を送信する送信手段とを具備し、
前記電源制御ユニットは、
電力を入力する電源入力手段と、
第１の電子機器と少なくとも１つの第２の電子機器の電源部が接続されるものであって、前記電源入力手段により入力された電力を前記主電子機器と前記他の電子機器に供給するための複数の電源供給端子と、
前記複数の電源供給端子に対する前記電源入力手段により入力された電力の供給を、前記識別情報に応じて独立してオン／オフする電源オン／オフリレー制御手段と、
前記操作用機器から送信された制御信号を受信し、前記制御信号に含まれる前記識別情報が前記第１の電子機器に対応する場合に、前記第１の電子機器と前記第２の電子機器が接続された前記複数の電源供給端子に対する電力供給を、前記電源オン／オフリレー制御手段により前記オン／オフ要求に応じてオン／オフさせる電源制御手段とを具備したことを特徴とする電源制御システム。
【発明の詳細な説明】
【技術分野】
【０００１】
本発明は、他の周辺機器等に電力を供給する電源制御システムが設けられた電子機器、及び電源制御システムに関する。
【背景技術】
【０００２】
従来、リモートコントローラにより電子機器の電源をオンさせることが可能なリモートコントロールシステムが考えられている（例えば、特許文献１参照）。特許文献１に記載されたリモートコントロールシステムは、１つのリモートコントローラにより複数の電子機器を電源をオンすることができる。このリモートコントロールシステムは、リモートコントローラを電子機器に近づけることにより、電子機器の非接触式通信記憶手段に誘導起電力が発生され、機器識別データを読み出すとともに赤外光送受信手段の電源がオンされる。したがって、リモートコントローラは、機器識別データを受信して制御対象の電子機器を識別し、適切な制御信号を出力することができる。従来のシステムでは、誘導起電力により電子機器の赤外光送受信手段の電源がオンされるので、待機電力なしに電子機器の電源をオンさせることが可能となっている。
【特許文献１】特開２００５−７３１０１号公報
【発明の開示】
【発明が解決しようとする課題】
【０００３】
このように従来のリモートコントロールシステムでは、リモートコントローラを電子機器に近づけることにより発生される誘導起電力を利用することで、電子機器の待機電力を無くして、省エネルギーを図っている。
【０００４】
しかしながら、このシステムでは、電子機器においてリモートコントローラからの信号を受信するために必要な待機電力を無くすことができるものの、電子機器自体を電源に接続した状態にしておかなければならず、このため電源部において電力が消費されていた。すなわち、電子機器を電源オフしたとしても、電源回路（トランス）の商用電源（交流１００Ｖ）に接続された１次側において熱が発生し、電力が消費されていた。
【０００５】
また、近年では、複数の電子機器を同時に使用する状況が増えている。例えば、テレビの他に、ＨＤＤ／ＤＶＤプレイヤ（レコーダ）やＨＤＤ等が同時に使用されることが増えている。従って、これら複数の電子機器の全てを、常時、商用電源に接続した状態にしておくと消費電力が大きくなってしまう。
【０００６】
また、特許文献１のシステムでは、リモートコントローラを電子機器に近づけなくてはならず、電子機器から離れた場所で操作できるというリモートコントローラの利点が低下していた。
【０００７】
本発明は上述の事情を考慮してなされたものであり、遠隔操作によって複数の電子機器に対して一括して電源制御を行い、待ち受け状態には電源部の一次側を切断して消費電力を発生させないようにすることが可能な電子機器、電源制御システムを提供することを目的とする。
【課題を解決するための手段】
【０００８】
上述の課題を解決するため、本発明は、電源供給を制御する電源制御ユニットと、前記電源制御ユニットに対して電源供給のための制御信号を無線により送信する操作用機器とを含む電源制御システムが搭載された電子機器であって、前記操作用機器は、電源供給のオン／オフ要求と識別情報を指示する操作を入力する操作入力手段と、前記操作入力手段により入力された操作に応じたオン／オフ要求と識別情報を示す制御信号を送信する送信手段とを具備し、前記電源制御ユニットは、電力を入力する電源入力手段と、自電子機器と少なくとも１つの他の電子機器の電源部が接続されるものであって、前記電源入力手段により入力された電力を前記自電子機器と前記他の電子機器に供給するための複数の電源供給端子と、前記複数の電源供給端子に対する前記電源入力手段により入力された電力の供給を、前記識別情報に応じて独立してオン／オフする電源オン／オフリレー制御手段と、前記操作用機器から送信された制御信号を受信し、前記制御信号に含まれる前記識別情報が自電子機器に対応する場合に、前記自電子機器と前記他の電子機器が接続された前記複数の電源供給端子に対する電力供給を、前記電源オン／オフリレー制御手段により前記オン／オフ要求に応じてオン／オフさせる電源制御手段とを具備したことを特徴とする。
【発明の効果】
【０００９】
本発明によれば、遠隔操作によって複数の電子機器に対して一括して電源制御を行い、待ち受け状態には電源部の一次側を切断して消費電力を発生させないようにすることが可能となる。
【発明を実施するための最良の形態】
【００１０】
以下、図面を参照して、本発明の実施形態について説明する。  
図１は、本実施形態における電子機器の外観構成の一例を示す図である。本実施形態における電子機器は、機器本体１０に、無線通信によって遠隔より電源のオン／オフを制御するための電源制御ユニット１１とリモコンユニット１２（操作用機器）とを含む電源制御システムが搭載されている。電源制御システムは、自電子機器だけでなく、自電子機器と連動させて他の電子機器（周辺機器）に対する電力供給のオン／オフを制御することができる。本実施形態における電源制御システムでは、電子機器を電源オフするだけでなく、電源供給を遮断することによって、自電子機器や周辺機器の電源部におけるトランスの１次側を切断することになるため、待機中における電力消費を最小限に抑制することができる。
【００１１】
機器本体１０は、例えばテレビやＨＤＤ／ＤＶＤプレイヤ（レコーダ）など、他の機器と連動して動作させる機器として構成されている。電源制御ユニット１１は、例えば機器本体１０の背面に取り付けられている。電源制御ユニット１１は、機器本体１０と、その他の周辺機器、例えば、テレビやＨＤＤ／ＤＶＤプレイヤ（レコーダ）、ＨＤＤ、ハブ（ＨＵＢ）等に対する電源供給のオン／オフを制御する。電源制御ユニット１１は、プラグ１３が商用電源（ＡＣ１００Ｖ）用のコンセントに装着されることにより電力供給を受ける。
【００１２】
電源制御ユニット１１には、複数の周辺機器に対して電源を供給するための複数（図１では４つ）のＡＣコンセント１５ａ，１５ｂ，１５ｃ，１５ｄが設けられている。また、ＡＣコンセント１５（１５ａ，１５ｂ，１５ｃ，１５ｄ）のそれぞれに対応して、近接した位置にＬＥＤ（Light Emitting Diode）などにより構成されたランプ１６ａ，１６ｂ，１６ｃ，１６ｄ、ユーザによる手動操作によってオン／オフが切り替え可能なスイッチ１７ａ，１７ｂ，１７ｃ，１７ｄが設けられている。
【００１３】
ランプ１６（１６ａ，１６ｂ，１６ｃ，１６ｄ）は、対応するＡＣコンセント１５に対して電源供給されている場合に点灯され、電源供給中であることをユーザに通知するために設けられている。
【００１４】
スイッチ１７（１７ａ，１７ｂ，１７ｃ，１７ｄ)は、ＡＣコンセント１５に接続された周辺機器に対する電源供給を強制的に切断するために設けられている。
【００１５】
リモコンユニット１２は、電源制御ユニット１１における動作を制御するための制御信号をユーザ操作に応じて送信するもので、電源制御ユニット１１に対して脱着可能に構成されている。リモコンユニット１２は、内部に充電池が搭載されており、使用されない場合には、図１に示すように電源制御ユニット１１に装着させておくことで充電することができる。リモコンユニット１２には、電源制御ユニット１１に設けられた複数のＡＣコンセント１５にそれぞれに対応する電源制御用の複数（図１では４つ）のボタン１２ａ，１２ｂ，１２ｃ，１２ｄが設けられている。例えば、ボタン１２ａをユーザが押下することで、電源制御ユニット１１のＡＣコンセント１５ａからの電源供給をオン／オフさせることができる。
【００１６】
図２は、リモコンユニット１２を電源制御ユニット１１から取り外した状態の外観構成の一例を示す図である。  
図２に示すように、リモコンユニット１２は、ボタン１２ａ，１２ｂ，１２ｃ，１２ｄがユーザにより操作されることで、無線（例えばＲＦ（Radio Frequency）信号、赤外線信号等）により制御信号を送信する。
【００１７】
リモコンユニット１２には、商用電源用のコンセント１９に装着可能なプラグ１８が設けられている。電源制御ユニット１１にはコンセント１９と同形状のコンセント（図示せず）が設けられており、リモコンユニット１２は、このコンセントにプラグ１８を挿入することによりリモコンユニット１２に装着することができる。また、リモコンユニット１２は、コンセント１９に装着することで、商用電源により充電を行うと共に、コンセント１９に装着した状態で機器本体１０（電源制御ユニット１１）から離れた場所で電源制御ユニット１１における電源制御をすることができる。
【００１８】
図１及び図２に示すように、リモコンユニット１２を電源制御ユニット１１に脱着可能とすることで、リモコンユニット１２を使用しない場合には電源制御ユニット１１を保管場所として利用して紛失を回避することができる。また、プラグ１８によって電源制御ユニット１１に装着されるので、保管中にリモコンユニット１２に対して給電を行って充電することができる。電源制御ユニット１１を充電池により動作させることで電池交換を不要とすることができる。
【００１９】
図３は、機器本体１０、電源制御ユニット１１及びリモコンユニット１２の機能構成の一例を示すブロック図である。  
機器本体１０には、機器主要機能部２０が設けられている。機器主要機能部２０は、電源制御ユニット１１における電源制御に関連する機能が設けられている。機器主要機能部２０の詳細な機能構成については後述する。
【００２０】
電源制御ユニット１１には、待ち受け電源制御回路２２、アンテナ２３、電源オン／オフ用リレー制御回路２４、スイッチ２４−１，…，２４−ｎ、機器用電源供給端子２５、機器用電源回路２６、外部接続用電源供給端子２７、外部接続用電源供給端子３０−１，…，３０−ｎ、充電式電源３２が設けられている。
【００２１】
待ち受け電源制御回路２２は、リモコンユニット１２から送信された制御信号を受信し、制御信号に含まれる識別情報（ＩＤ情報）とオン／オフ要求（コマンド）に基づいて電源制御ユニット１１からの電源供給を制御する。待ち受け電源制御回路２２は、電源オン／オフ用リレー制御回路２４に対して何れかの電源供給端末を示すＩＤ識別信号と電源供給オンまたはオフを示す機器電源制御信号を出力することにより、複数の電源供給端子機器用電源供給端子２５、外部接続用電源供給端子３０−１，…，３０−ｎからの電源供給を独立してオン／オフさせることができる。本実施形態における待ち受け電源制御回路２２は、リモコンユニット１２から通知されたＩＤ情報が機器本体１０（自電子機器）に対応する場合に、機器本体１０と他の周辺機器４６が接続された複数の電源供給端子２５，３０−１，…，３０−ｎに対する電力供給を、電源オン／オフ用リレー制御回路２４によりオン／オフ要求に応じて一括してオン／オフさせる。また、待ち受け電源制御回路２２は、リモコンユニット１２から受信した制御信号によりオフ要求された場合に、機器本体１０と他の周辺機器４６に対して、ソフトウェアの動作を停止させるソフトウェアオフを通知した後に、機器用電源供給端子２５及び外部接続用電源供給端子３０−１，…，３０−ｎに対する電力供給をオフさせ、リモコンユニット１２から受信した制御信号によりオン要求された場合に、機器用電源供給端子２５及び外部接続用電源供給端子３０−１，…，３０−ｎに対する電力供給をオンさせた後に、機器本体１０と他の周辺機器４６に対して、ソフトウェアの動作を開始させるソフトウェアオンを通知する。これにより、ＯＳ（Operating System）をはじめとするソフトウェアにより動作が制御されている機器において、正しい手順により電源オン／オフと電源を遮断するハードウェアオフを実行させることができる。なお、待ち受け電源制御回路２２の詳細な構成については後述する。
【００２２】
アンテナ２３は、リモコンユニット１２から送信されるＲＦ信号を受信して待ち受け電源制御回路２２に出力する。
【００２３】
電源オン／オフ用リレー制御回路２４は、機器用電源供給端子２５及び外部接続用電源供給端子３０−１，…，３０−ｎに対する機器用電源回路２６から入力された電力の供給を、待ち受け電源制御回路２２の制御によりオン／オフする。電源オン／オフ用リレー制御回路２４は、待ち受け電源制御回路２２からのＩＤ識別信号に対応する電源供給端子に対して、機器電源制御信号が示すオンあるいはオフの要求に応じて、機器用電源回路２６から入力された電力の供給を独立してオンあるいはオフすることができる。
【００２４】
スイッチ２４−１，…，２４−ｎは、図１におけるスイッチ１７に対応するもので、ＡＣコンセント１５（外部接続用電源供給端子３０−１，…，３０−ｎ）に接続された周辺機器４６−１，…，４６−ｎに対する電源供給を強制的に切断するために設けられている。電源オン／オフ用リレー制御回路２４は、スイッチ２４−１，…，２４−ｎがユーザによりオフされた場合、対応する外部接続用電源供給端子３０に対する電源供給を強制的に遮断する。スイッチ２４−１，…，２４−ｎに対するユーザ操作によって、異常動作している場合においても周辺機器４６の動作を強制的に停止させることができる。
【００２５】
機器用電源供給端子２５は、機器本体１０に対して電源供給するために使用される電源端子である。例えば、リモコンユニット１２の１番のボタン１２ａによって電源供給のオン／オフが指示されるものとする。すなわち、機器用電源供給端子２５は、図１におけるＡＣコンセント１５ａと対応している。
【００２６】
機器用電源回路２６は、機器本体１０や周辺機器４６−１，…，４６−ｎが動作するために用いられる電力を入力するためのもので、プラグ１３が商用電源に接続されることにより電力を入力する。機器用電源回路２６により入力された電力は、機器用電源供給端子２５外部接続用電源供給端子３０−１，…，３０−ｎ、あるいは外部接続用電源供給端子２７を通じて電子機器に供給される。
【００２７】
外部接続用電源供給端子２７は、電源オン／オフ用リレー制御回路２４の制御により電源オフされないで、常時、電力が供給されている端末である。外部接続用電源供給端子２７は、主にリモコンユニット１２のプラグ１８が装着され、リモコンユニット１２に電源供給するために使用され、電源制御ユニット１１のリモコンユニット１２が装着される位置（図１においては筐体左側）に実装されている。
【００２８】
外部接続用電源供給端子３０−１，…，３０−ｎは、複数の周辺機器４６−１，…，４６−ｎに対して電力を供給するための端子である。外部接続用電源供給端子３０−１，…，３０−ｎは、図１におけるＡＣコンセント１５ｂ，１５ｃ，１５ｄと対応している。
【００２９】
充電式電源３２は、機器用電源回路２６により入力される電力により充電される電源であり、信号待ち受け時の待ち受け電源制御回路２２に給電するめために使用される。待ち受け電源制御回路２２が商用電源からの給電を不要とする低消費電力が可能な回路構成としているため、充電式電源３２からの給電により十分となっている。
【００３０】
一方、リモコンユニット１２には、制御部４０、操作パネル４１、信号送信部４２、ＩＤ情報保持部４３、及び電源部４４が設けられている。
【００３１】
制御部４０は、リモコンユニット１２の動作を制御するもので、操作パネル４１から入力されるボタン操作信号に応じて、ＩＤ情報保持部４３に設定された該当するＩＤ情報と電源供給のオン／オフ要求を表す制御信号を信号送信部４２から送信させる。
【００３２】
操作パネル４１は、電源供給のオン／オフ要求と識別情報を指示する操作を入力するためのもので、ユーザにより操作される複数のボタン１２ａ，１２ｂ，１２ｃ，１２ｄが設けられ、各ボタンに対する操作に応じてボタン操作信号を制御部４０に出力する。
【００３３】
信号送信部４２は、制御部４０の制御のもとで、操作パネル４１により入力された操作に応じて、電源供給のオン／オフ要求と操作されたボタンに対応するＩＤ情報（識別情報）を示す制御信号を送信する。
【００３４】
ＩＤ情報保持部４３は、操作パネル４１に設けられた複数のボタンにそれぞれ対応するＩＤ情報（識別情報）が予め設定されており、操作パネル４１において操作されたボタンに対応するＩＤ情報が制御部４０により読み出される。
【００３５】
電源部４４は、リモコンユニット１２を動作させるための電源制御を行う。電源部４４は、充電池４４ａが設けられており、プラグ１８が電源制御ユニット１１の外部接続用電源供給端子２７に接続されることにより電力を入力して充電池４４ａに蓄積する。電源部４４は、リモコンユニット１２が使用されないために電源制御ユニット１１（外部接続用電源供給端子２７）に装着されている間に充電することができる。
【００３６】
図４は、図３における待ち受け電源制御回路２２の詳細な構成を示すブロック図ある。  
図４に示すように、待ち受け電源制御回路２２には、制御回路５０、不揮発性メモリ５１、ダウンコンバート回路５２、ベースバンド信号増幅回路５３、ＩＤ識別回路５４、機器制御信号生成回路５５、内部タイマ５６、及びインタフェース回路５７が設けられている。
【００３７】
制御回路５０は、待ち受け電源制御回路２２の動作を制御する。制御回路５０は、インタフェース回路５７を通じて、機器本体１０（機器主要機能部２０）から、機器本体１０及び周辺機器４６−１，…，４６−ｎに設定された、例えば視聴予約、録画予約、番組表（ＥＰＧ（Electronic Program Guide））データダウンロードなどの動作時間を示す情報（スケジュール）を取得する機能を有する。制御回路５０は、取得した予約情報等を不揮発性メモリ５１に記憶する。制御回路５０は、不揮発性メモリ５１に記録された情報を参照しながら、リモコンユニット１２から受信される制御信号、内部タイマ５６により計時される時刻情報に基づいて、ＩＤ識別回路５４及び機器制御信号生成回路５５を通じて電源オン／オフ用リレー制御回路２４による電源供給を制御する。
【００３８】
ダウンコンバート回路５２は、アンテナ２３によって受信された無線信号（ＲＦ信号）の周波数を低減するための信号処理を実行する。ダウンコンバート回路５２は、ダイオードまたはトランジスタによる整流回路あるいはダブルバランストミキサーなどにより構成される。ダウンコンバート回路５２を信号待ち受け回路の初段に設けることで後段における信号処理に消費する電力量を低減することができ、電源制御ユニット１１における信号待ち受け時の消費電力を極小化できる。
【００３９】
ベースバンド信号増幅回路５３は、ダウンコンバート回路５２によりダウンコンバートされた、リモコンユニット１２から通知された制御情報を含む信号を増幅して出力する。
【００４０】
ＩＤ識別回路５４は、ベースバンド信号増幅回路５３から出力された信号をもとに、リモコンユニット１２から通知されたＩＤ情報を識別して制御回路５０に通知する。ＩＤ識別回路５４は、制御回路５０の制御のもとで、電源供給のオン／オフの制御対象とする電源供給端末を示すＩＤ識別信号を電源オン／オフ用リレー制御回路２４に対して出力する。
【００４１】
機器制御信号生成回路５５は、制御回路５０の制御のもとで、ベースバンド信号増幅回路５３から出力された信号をもとに電源供給のオンまたはオフの要求を示す機器電源制御信号を電源オン／オフ用リレー制御回路２４に対して出力する。
【００４２】
内部タイマ５６は、時間を計時するもので、制御回路５０から指示されたタイミングからの経過時間を測定する。例えば、制御回路５０による機器本体１０（機器主要機能部２０）に対する電源オン／オフ指示からの経過時間を測定して制御回路５０に通知する。
【００４３】
インタフェース回路５７は、機器本体１０（機器主要機能部２０）とのインタフェースである。インタフェース回路５７は、制御回路５０と機器本体１０の機器主要機能部２０との間で情報を送受信するためのインタフェースである。例えば、機器主要機能部２０から録画予約や番組表ダウンロード等の動作時間を示す情報を受信したり、制御回路５０から機器本体１０に対する動作停止（ソフトウェアオフ）要求等を送信する。
【００４４】
図５は、ダウンコンバート回路５２の構成例を示す回路図である。  
図５に示すダウンコンバート回路５２は、アンテナ２３により受信された無線信号がコンデンサ６０、ダイオード６１を介して入力される。ダイオード６１には電池６４によりバイアス電圧が印加されている。ダイオード６１の出力端には、コンデンサ６２を介してアース、及びダイオード６３の入力端が接続されている。ダイオード６３の出力端は、ダイオード６１の入力端と接続され、ダイオード６１と同様に、電池６５によりバイアス電圧が印加されている。なお、電池６４，６５は、例えば充電式電源３２からの電力を利用する。
【００４５】
ダイオード６１，６３にバイアス電圧を印加することで、アンテナ２３により受信される信号が微弱であっても検知可能となる。例えば、ダイオード６１，６３が、０．７Ｖの電圧かかかった場合にオンする特性をもつ場合、バイアス電圧を予め０．６Ｖ印加しておくことで、０．１Ｖの電圧を印加する信号を受信することによりオンすることができる。従って、リモコンユニット１２から出力される電波の出力を高くすることなく遠隔操作を行うことができ、リモコンユニット１２の電力消費を低減することができる。また、ダウンコンバート回路５２では、信号受信部において電力消費の大きいアンプを用いないで、高感度の整流回路として構成することで消費電力の低減を図っている。すなわち、アンプを実装した回路では商用電源に接続されたＡＣトランスからアンプに電流（例えば１０ｍＡ）を供給する必要があるところ、電池６４，６５からの微少な電流（例えば数μＡ）を供給するだけで良い。
【００４６】
次に、機器本体１０に設けられる電源制御用の機能について説明する。  
図６は、機器主要機能部２０における機能構成を示すブロック図である。  
図６に示すように、機器主要機能部２０には、電源オン／オフ指示入力部７０、電源オン／オフ指示部７１、周辺機器予約情報取得部７２、自機予約情報取得部７３、設定情報記憶部７４、予約情報提供部７５、及びソフトウェアオフ処理部７６の機能が設けられている。
【００４７】
電源オン／オフ指示入力部７０は、待ち受け電源制御回路２２からのソフトウェアオフ／ソフトウェアオンの指示を入力する。
【００４８】
電源オン／オフ指示部７１は、電源オン／オフ指示入力部７０により入力された指示により周辺機器４６に対してソフトウェアオフの実行が必要な場合に、周辺機器４６に対してソフトウェアオフの実行を指示する。
【００４９】
周辺機器予約情報取得部７２は、周辺機器４６に対してソフトウェアオフを指示する場合に、ソフトウェアオフ前に周辺機器４６に設定された録画予約や番組表ダウンロードなどの予約情報を各周辺機器４６から取得する。
【００５０】
自機予約情報取得部７３は、機器本体１０において予約設定機能等により設定されている自機における予約情報を取得する。
【００５１】
設定情報記憶部７４は、機器本体１０において予約設定機能等により設定されている予約情報、例えば視聴予約、録画予約、番組表ダウンロードなどの情報を記憶する。
【００５２】
予約情報提供部７５は、待ち受け電源制御回路２２（制御回路５０）からの情報取得要求に対して、周辺機器４６及び設定情報記憶部７４から取得した予約情報を提供する。
【００５３】
ソフトウェアオフ処理部７６は、待ち受け電源制御回路２２からのソフトウェアオフの指示に対して、自機及び周辺機器４６から取得した予約情報を予約情報提供部７５により提供した後に、各種ソフトウェアやＯＳなどのソフトウェアオフを実行して動作を停止させる。
【００５４】
次に、本実施形態における電子機器（電源制御システム）の動作について説明する。  
はじめに、電源制御ユニット１１に電源部が接続された機器本体１０と周辺機器４６に対する電源オフ時の動作について説明する。図７は、機器本体１０の機器主要機能部２０により実行される機器主要機能処理を示すフローチャート、図８は、電源制御ユニット１１（待ち受け電源制御回路２２）における待ち受け電源制御処理（オフ時）を示すフローチャートである。
【００５５】
電源制御ユニット１１の待ち受け電源制御回路２２は、アンテナ２３により受信されたＲＦ信号から電源オフを指示するコマンドが検出されると（図８、ステップＢ１、Ｙｅｓ）、ＩＤ識別回路５４によりＩＤ情報を識別する（ステップＢ２）。
【００５６】
制御回路５０は、ＩＤ識別回路５４により識別されたＩＤ情報が機器本体１０に対応するものであった場合（ステップＢ３、Ｙｅｓ）、インタフェース回路５７を通じて機器主要機能部２０に対して、電源オフの指示、すなわちＯＳ等のソフトウェアを終了させて動作を停止させるためのソフトウェアオフの実行を通知する（ステップＢ４）。ここでは、機器本体１０だけでなく、機器本体１０に接続された他の周辺機器４６に対するソフトウェアオフを指示するものとする。
【００５７】
制御回路５０は、機器主要機能部２０に対してソフトウェアオフを通知した後、機器主要機能部２０及び全ての周辺機器４６におけるソフトウェアの終了処理が完全に終了するのに十分な所定時間の経過を内部タイマ５６により確認する（ステップＢ５）。
【００５８】
一方、機器主要機能部２０の電源オン／オフ指示入力部７０は、電源オフ（ソフトウェアオフ）が指示されると（図７、ステップＡ１、Ｙｅｓ）、周辺機器４６に対して録画予約などの設定がされているかを確認する（ステップＡ２）。ここで、予約設定がされていた場合には、周辺機器予約情報取得部７２によって、各周辺機器４６に設定されている予約情報（動作情報）を取得する。そして、予約情報提供部７５は、周辺機器予約情報取得部７２によって周辺機器４６から取得された予約情報と、自機に設定されていた自機予約情報取得部７３により取得された自機の予約情報を、機器本体１０（待ち受け電源制御回路２２）に提供する。
【００５９】
電源オン／オフ指示部７１は、周辺機器４６において予約設定がされていない場合、あるいは周辺機器４６からの予約情報を取得して待ち受け電源制御回路２２に提供した後に、各周辺機器４６に対して電源オフ（ソフトウェアオフ）を指示する（ステップＡ５）。そして、ソフトウェアオフ処理部７６は、自機器のソフトウェアオフ処理を実行して、正常な手続きにより動作を停止させる（ステップＡ６）。
【００６０】
なお、待ち受け電源制御回路２２は、機器本体１０から提供された予約情報を不揮発性メモリ５１に記憶させておく。不揮発性メモリ５１に記憶された予約情報は、口述する予約電源処理において参照される。
【００６１】
電源制御ユニット１１の待ち受け電源制御回路２２は、周辺機器４６と機器本体１０におけるソフトウェア処理が完了するのに十分な時間（予め設定された所定時間）が経過すると（ステップＢ５、Ｙｅｓ）、電源オン／オフ用リレー制御回路２４に対して、機器本体１０と周辺機器４６に対するハードウェアオフを通知する（ステップＢ６）。すなわち、機器用電源供給端子２５と外部接続用電源供給端子３０−１，…，３０−ｎに対する電力供給をオフするように指示する。
【００６２】
こうして、機器本体１０の動作停止がリモコンユニット１２の操作によって指示された場合には、機器本体１０と関連して動作している周辺機器４６についても一括して停止させることができる。この際、機器本体１０と周辺機器４６に対して、正常にソフトウェアオフさせた後に、機器用電源供給端子２５及び外部接続用電源供給端子３０−１，…，３０−ｎからの電源供給を遮断して動作を停止させるので、周辺機器４６に対して強制電源遮断による不具合を発生させるおそれがない。従って、特別な電源制御のための機能が設けられていない周辺機器４６であっても、電源制御システムによる制御対象として使用することができる。また、電源供給をオフして電子機器の動作を停止させるので、各機器の待ち受け時の消費電力を極小化することができる。
【００６３】
一方、リモコンユニット１２から指示された電源オフの対象が機器本体１０以外であった場合、すなわちリモコンユニット１２から送信されたＩＤ情報が外部接続用電源供給端子３０−１，…，３０−ｎの何れかに対応する場合には（ステップＢ７、Ｙｅｓ）、待ち受け電源制御回路２２は、機器主要機能部２０に対してＩＤ情報に該当する周辺機器４６のソフトウェアオフを指示する（ステップＢ８）。
【００６４】
ただし、この場合には、機器主要機能部２０においてＩＤ情報と機器本体１０に接続される周辺機器４６の対応関係が予め設定されているものとする。機器主要機能部２０は、この設定情報を記憶しておき、待ち受け電源制御回路２２からＩＤ情報を入力して、このＩＤ情報と対応する周辺機器４６に対してのみソフトウェアオフを指示する。また、ＩＤ情報と周辺機器４６との対応関係が予め設定されている場合には、この対応関係を示す情報を待ち受け電源制御回路２２に送信しておく。待ち受け電源制御回路２２は、この情報を機器本体１０から取得した予約情報と対応づけて不揮発性メモリ５１に記憶しておき、後述する予約電源処理（図１０）において利用する。
【００６５】
前述と同様にして、周辺機器４６におけるソフトウェアオフ処理が完了するのに十分な所定時間が経過した後（ステップＢ９、Ｙｅｓ）、待ち受け電源制御回路２２は、電源オン／オフ用リレー制御回路２４に対して、リモコンユニット１２から指示されたＩＤ情報に対応する外部接続用電源供給端子３０のハードウェアオフを指示する（ステップＢ１０）。
【００６６】
電源オン／オフ用リレー制御回路２４は、待ち受け電源制御回路２２からの通知に応じて、該当する外部接続用電源供給端子３０への電源供給をオフする。
【００６７】
このようにして、機器本体１０に接続された複数の周辺機器４６のうち、特定の機器に対してのみリモコンユニット１２のボタン操作によって、ソフトウェアオフした後に電源供給を遮断して動作を停止させることができる。
【００６８】
次に、電源制御ユニット１１（待ち受け電源制御回路２２）における待ち受け電源制御処理（オン時）について、図９に示すフローチャートを参照しながら説明する。  
電源制御ユニット１１の待ち受け電源制御回路２２は、アンテナ２３により受信されたＲＦ信号から電源オフを指示するコマンドが検出されると（図９、ステップＣ１、Ｙｅｓ）、ＩＤ識別回路５４によりＩＤ情報を識別する（ステップＢ２）。
【００６９】
制御回路５０は、ＩＤ識別回路５４により識別されたＩＤ情報が機器本体１０に対応するものであった場合（ステップＣ３、Ｙｅｓ）、電源オン／オフ用リレー制御回路２４に対して、機器本体１０と周辺機器４６に対するハードウェアオンを通知する（ステップＣ４）。すなわち、機器用電源供給端子２５と外部接続用電源供給端子３０−１，…，３０−ｎに対する電力供給をオンするように指示する。
【００７０】
制御回路５０は、所定時間の経過を内部タイマ５６により確認し（ステップＣ５）、インタフェース回路５７を通じて機器主要機能部２０に対して、電源オンの指示、すなわちＯＳ等のソフトウェアを起動させて動作を開始させるためのソフトウェアオンの実行を通知する（ステップＣ６）。ここでは、機器本体１０だけでなく、機器本体１０に接続された他の周辺機器４６に対するソフトウェアオンを指示するものとする。なお、電源オンの際には、機器本体１０のみを起動させるようにしても良い。
【００７１】
こうして、機器本体１０の動作開始がリモコンユニット１２の操作によって指示された場合には、機器本体１０と関連して動作している周辺機器４６についても一括して動作開始させることができる。この際、機器本体１０と周辺機器４６に対して、機器用電源供給端子２５及び外部接続用電源供給端子３０−１，…，３０−ｎからの電源供給を開始したのち、正常にソフトウェアオンさせるので、周辺機器４６に対して正常な起動処理をさせることができる。
【００７２】
一方、リモコンユニット１２から指示された電源オンの対象が機器本体１０以外であった場合、すなわちリモコンユニット１２から送信されたＩＤ情報が外部接続用電源供給端子３０−１，…，３０−ｎの何れかに対応する場合には（ステップＣ７、Ｙｅｓ）、待ち受け電源制御回路２２は、待ち受け電源制御回路２２は、電源オン／オフ用リレー制御回路２４に対して、リモコンユニット１２から指示されたＩＤ情報に対応する外部接続用電源供給端子３０のハードウェアオンを指示する（ステップＣ８）。
【００７３】
そして、前述と同様にして、所定時間が経過した後（ステップＣ９、Ｙｅｓ）、待ち受け電源制御回路２２は、機器主要機能部２０に対してＩＤ情報に該当する周辺機器４６のソフトウェアオンを指示する（ステップＣ１０）。
【００７４】
なお、電源オフがリモコンユニット１２から指示された場合、該当する機器が予約動作中であるか否かを予約情報を参照して確認し、予約動作中であった場合には、電源オン／オフ用リレー制御回路２４による電源供給オフ（ハードウェアオフ）を実行しないように制御する。
【００７５】
このようにして、機器本体１０に接続された複数の周辺機器４６のうち、特定の機器に対してのみリモコンユニット１２のボタン操作によって、電源供給を開始すると共にソフトウェアオンさせて動作を開始させることができる。
【００７６】
次に、電源制御ユニット１１（待ち受け電源制御回路２２）における予約電源処理について、図１０に示すフローチャートを参照しながら説明する。  
待ち受け電源制御回路２２（制御回路５０）は、機器本体１０や周辺機器４６の動作が停止される際に取得した予約情報を参照して、内部タイマ５６により掲示される時刻が予約開始時刻の一定時間前となったか監視している。なお、一定時間とは、機器本体１０及び周辺機器４６を起動させるために必要な時間が確保されるものとする。
【００７７】
予約開始時刻の一定時間前になったことが確認されると（ステップＤ１、Ｙｅｓ）、制御回路５０は、不揮発性メモリ５１に記憶された該当する予約情報に対応するＩＤ情報を識別し（ステップＤ２）、このＩＤ情報に該当する機器に対するハードウェアオンを電源オン／オフ用リレー制御回路２４に対して通知する（ステップＤ３）。
【００７８】
制御回路５０は、所定時間の経過を内部タイマ５６により確認し（ステップＤ４、Ｙｅｓ）、機器主要機能部２０に対してＩＤ情報に対応する機器に対するソフトウェアオンを通知する（ステップＤ５）。
【００７９】
機器主要機能部２０は、待ち受け電源制御回路２２から通知されたＩＤ情報に応じて、該当する周辺機器４６（あるいは自機器）に対してソフトウェアオンを指示する。
【００８０】
また、制御回路５０は、予約情報に応じて、機器本体１０あるいは周辺機器４６を起動させた場合、四同様にして予約情報を参照して、内部タイマ５６により掲示される時刻が予約時間終了となったか監視している。
【００８１】
予約時間が終了したことが確認されると（ステップＤ６、Ｙｅｓ）、制御回路５０は、予約情報に応じて起動した機器（ＩＤ情報）に対するソフトウェアオフを機器本体１０に通知する（ステップＤ７）。機器本体１０は、制御回路５０からの通知に応じて、該当する機器に対してソフトウェアオフを指示する。
【００８２】
制御回路５０は、ソフトウェアオフを指示した後、機器本体１０あるいは周辺機器４６においてソフトウェアオフが完了するまでに十分な所定時間が経過すると（ステップＤ８、Ｙｅｓ）、電源オン／オフ用リレー制御回路２４に対して対象とするＩＤ情報に該当する機器に対するハードウェアオフを通知する。電源オン／オフ用リレー制御回路２４は、制御回路５０からの通知に応じて、ＩＤ情報に対応する外部接続用電源供給端子３０に対する電源供給をオフする。
【００８３】
このようにして、機器本体１０あるいは周辺機器４６に設定された予約情報（動作情報）に応じて、電源供給のオン／オフ、ソフトウェアオン／オフを正常な手続きにより実行されるように制御することができる。従って、周辺機器４６等に予約設定がされている場合であっても、電源供給を遮断して消費電力の低減を図ることができる。
【００８４】
なお、前述した説明では、リモコンユニット１２からリモコンユニット１２に対する制御信号の送信をＲＦ信号を用いるものとしているが、赤外線信号を用いることも可能である。  
図１１は、赤外線信号を用いる場合の機器本体１０、電源制御ユニット１１及びリモコンユニット１２の機能構成の一例を示すブロック図である。ここでは、図３と異なる部分についてのみ説明する。  
赤外線信号を用いる場合、電源制御ユニット１１には制御部４０の制御のもとで赤外線信号を出力する信号送信部４２ａが設けられる。一方、電源制御ユニット１１には、信号送信部４２ａから送信された赤外線信号を受光する赤外線受光素子２３ａと赤外線受光素子２３ａにより受信された赤外線信号を処理する待ち受け電源制御回路２２ａが設けられる。
【００８５】
図１２は、待ち受け電源制御回路２２ａの機能構成を示すブロック図である。図１２に示すように、待ち受け電源制御回路２２ａには赤外線受光素子２３ａにより受信された信号を増幅してＡ／Ｄ変換するＡ／Ｄ変換回路５２ａ、Ａ／Ｄ変換回路５２ａによりデジタル化された信号に対してデジタルフィルタリング処理を実行するデジタルフィルタリング回路５３ａが設けられている。
【００８６】
図１２に示すように、待ち受け電源制御回路２２ａの初段に低消費電力フィルタとして機能するＡ／Ｄ変換回路５２ａとデジタルフィルタリング回路５３ａを設けることで、待機状態における消費電力の低減を図っている。すなわち、一般的な、安定化を図るためにフィルタ付きのアンプを設けた構成の場合には商用電源と接続されたＡＣトランスから給電を行う必要があるが、デジタル化された信号に対する処理に置換することで電力消費を低減して、充電池からの電力供給により動作可能にしている。
【００８７】
このようにして、赤外線信号を用いた構成とした場合においても待受時の電源制御ユニット１１における電力消費の低減化を図ることができる。
【００８８】
なお、前述した説明では、機器本体１０に電源制御システム（電源制御ユニット１１、リモコンユニット１２）が搭載された構成としているが、機器本体１０とは独立して電源制御システムが構成されていても良い。この場合、電源制御ユニット１１には、機器本体１０（テレビ等の電子機器）とデータ通信用のケーブル（例えばＵＳＢ）を介して接続するための接続端子を設ける。そして、機器本体１０の電源用プラグを、電源制御ユニット１１に設けられた主電子機器用のＡＣコンセント１５に接続する。電源制御ユニット１１は、データ通信用のケーブルを通じて機器本体１０に設定された予約情報や、機器本体１０によって取得された周辺機器４６において設定された予約情報を受信して、これらの情報をもとにして外部接続用電源供給端子３０に対する電力供給のオン／オフを制御する。
【００８９】
また、前述した説明では、機器主要機能部２０に対する電力供給を、電源制御ユニット１１の機器用電源供給端子２５を通じて行うものとしているが、電源コードを用いないで内部的に電源制御ユニット１１から機器本体１０に対して電力を供給する構成としても良い。
【００９０】
また、前述した説明では、電源制御ユニット１１は、周辺機器４６において設定された予約情報などの動作時間を示す情報を、機器本体１０（機器主要機能部２０）を通じて受信するものとして説明しているが、各周辺機器４６と電源制御ユニット１１とをデータ通信用のケーブルを介して接続可能な構成とし、待ち受け電源制御回路２２が周辺機器４６から、直接、予約情報などの動作時間を示す情報を受信できるようにしても良い。
【００９１】
また、前述した説明では、リモコンユニット１２から機器本体１０に対して電源供給のオン／オフ要求を指示することで、電源制御ユニット１１により機器本体１０と連動させて一括して周辺機器４６に対する電源救急のオン／オフを制御しているが、リモコンユニット１２において機器本体１０に対するオン／オフがユーザ操作により指示された場合に、リモコンユニット１２に対して機器本体１０と周辺機器４６に対するオン／オフ要求を送信するようにしても良い。
【００９２】
また、本発明は、上記実施形態そのままに限定されるものではなく、実施段階ではその要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に構成要素を適宜組み合わせてもよい。
【図面の簡単な説明】
【００９３】
【図１】本実施形態における電子機器の外観構成の一例を示す図。
【図２】本実施形態におけるリモコンユニット１２を電源制御ユニット１１から取り外した状態の外観構成の一例を示す図。
【図３】本実施形態における機器本体１０、電源制御ユニット１１及びリモコンユニット１２の機能構成の一例を示すブロック図。
【図４】本実施形態における待ち受け電源制御回路２２の詳細な構成を示すブロック図。
【図５】本実施形態におけるダウンコンバート回路５２の構成例を示す回路図。
【図６】機器主要機能部２０における機能構成を示すブロック図。
【図７】機器本体１０の機器主要機能部２０により実行される機器主要機能処理を示すフローチャート。
【図８】電源制御ユニット１１（待ち受け電源制御回路２２）における待ち受け電源制御処理（オフ時）を示すフローチャート。
【図９】電源制御ユニット１１（待ち受け電源制御回路２２）における待ち受け電源制御処理（オン時）について示すフローチャート。
【図１０】電源制御ユニット１１（待ち受け電源制御回路２２）における予約電源処理について示すフローチャート。
【図１１】赤外線信号を用いる場合の機器本体１０、電源制御ユニット１１及びリモコンユニット１２の機能構成の一例を示すブロック図。
【図１２】赤外線信号を用いる場合の待ち受け電源制御回路２２ａの機能構成を示すブロック図。
【符号の説明】
【００９４】
１０…機器本体、１１…電源制御ユニット、１２…リモコンユニット、１３，１８…プラグ、１５（１５ａ，１５ｂ，１５ｃ，１５ｄ）…コンセント、１６（１６ａ，１６ｂ，１６ｃ，１６ｄ）…ランプ、１７（１７ａ，１７ｂ，１７ｃ，１７ｄ）…スイッチ、２０…機器主要機能部、２２…待ち受け電源制御回路、２３…アンテナ、２４…電源オン／オフ用リレー制御回路、２５…機器用電源供給端子、２６…機器用電源回路、２７，３０−１，…，３０−ｎ…外部接続用電源供給端子、４１…操作パネル、４２…信号送信部、４３…ＩＤ情報保持部、４４…電源部、４４ａ…充電池、４６−１，…，４６−ｎ…周辺機器、５０…制御回路、５１…不揮発性メモリ、５２…ダウンコンバート回路、５３…ベースバンド信号増幅回路、５４…ＩＤ識別回路、５５…機器制御信号生成回路、５６…内部タイマ、５７…インタフェース回路、７０…電源オン／オフ指示入力部、７１…電源オン／オフ指示部、７２…周辺機器予約情報取得部、７３…自機予約情報取得部、７４…設定情報記憶部、７５…予約情報提供部、７６…ソフトウェアオフ処理部。
【図１】
2010114773.tif 000003
【図２】
2010114773.tif 000004
【図３】
2010114773.tif 000005
【図４】
2010114773.tif 000006
【図５】
2010114773.tif 000007
【図６】
2010114773.tif 000008
【図７】
2010114773.tif 000009
【図８】
2010114773.tif 000010
【図９】
2010114773.tif 000011
【図１０】
2010114773.tif 000012
【図１１】
2010114773.tif 000013
【図１２】
2010114773.tif 000014